(57)【要約】【課題】  水抜け性が良い衛生洗浄装置用の止水栓を備えつつ、コンパクトな給水流路構成を可能とした流路構造を提供することを目的とする。【解決手段】  給水源に連通する給水流路１１の水を便器洗浄水タンクに供給するタンク側流路１９と、給水流路１１の水を局部洗浄用ノズルに供給する局部洗浄流路２０と、給水流路１１をタンク側流路１９及び局部洗浄流路２０に分離させる分岐部３３とを備えた衛生洗浄装置において、分岐部３３の上流側且つ下方にタンク側流路１９及び局部洗浄流路２０の水抜きが可能な水抜き栓８を設け、分岐部３３には給水流路１１に連通する給水流路開口部１６とタンク側流路１９に連通するタンク側流路開口部１７と局部洗浄流路２０に連通する局部洗浄流路開口部１８を設け且つ当該局部洗浄流路開口部１８を開閉する止水栓２３を設けた。【選択図】    図３
2006257703.tif 000002
【特許請求の範囲】
【請求項１】
便器洗浄水タンクと、局部洗浄用ノズルと、給水源に連通する給水流路と、前記給水流路の水を前記便器洗浄水タンクに供給するタンク側流路と、前記給水流路の水を前記局部洗浄用ノズルに供給する局部洗浄流路と、前記給水流路を前記タンク側流路及び局部洗浄流路に分離させる分岐部とを備えた衛生洗浄装置において、前記分岐部の上流側且つ下方に前記タンク側流路及び局部洗浄流路の水抜きが可能な水抜き栓を設け、前記分岐部には前記給水流路に連通する給水流路開口部と前記タンク側流路に連通するタンク側流路開口部と前記局部洗浄流路に連通する局部洗浄流路開口部を設け且つ当該局部洗浄流路開口部を開閉する止水栓を設けたことを特徴とする衛生洗浄装置。
【請求項２】
請求項１に記載の衛生洗浄装置において、
前記止水栓の流路開閉機構の周囲を、前記給水流路と前記タンク側流路を連通させる連絡流路として構成することを特徴とする衛生洗浄装置。
【請求項３】
請求項１または２に記載の衛生洗浄装置において、
前記分岐部の局部洗浄流路側に逆止弁を設け、前記逆止弁の弁体を収納するボディに前記止水栓の流路開閉機構のシート部を設けたことを特徴とする衛生洗浄装置。
【発明の詳細な説明】
【技術分野】
【０００１】
本発明は、水道管などから送られる水を便器と局部洗浄のために洗浄水の噴出を行う衛生洗浄装置へ分岐して供給する給水構造に関する。
【背景技術】
【０００２】
従来の衛生洗浄装置については、一般的に便器への給水経路から分岐して給水する方法が古くから用いられており、局部洗浄流路には冬季などに流路の凍結破損を防止する為、水抜き栓が備えられていることが多い。
【０００３】
さらには、ストレーナを兼ねた水抜き栓が設置された給水流路内に分岐部を設け、便器洗浄水タンク側流路および局部洗浄流路のストレーナと水抜き栓を兼用し、便器洗浄水タンク側流路からの水抜きを行なうための構造の簡素化を図ったものが発明されている。（例えば、特許文献１参照）
【０００４】
また、衛生洗浄装置の故障時においても便器を使用可能とするために局部洗浄流路のみに止水栓を設置した例も多く見られる。（例えば、特許文献２参照）
【０００５】
【特許文献１】特開２０００−３１９９７４号公報（第４図）
【特許文献２】特開２０００−８７４１７号公報（第１図）
【発明の開示】
【発明が解決しようとする課題】
【０００６】
特許文献２のように給水流路内に分岐部を設け、分岐部より下流側の局部洗浄流路に止水栓を配置したものは、図４（ａ）に示すように、分岐部ボディ２１Ａの給水流路１１にストレーナ１２を有する水抜き栓８を着脱可能に取付け、水抜き栓８に沿ってタンク側流路開口部１７及び局部洗浄流路開口部１８を設け、当該開口部１７，１８に便器洗浄水タンクに給水するタンク側流路１９と局部洗浄用ノズルに給水する局部洗浄流路２０を接続している。そして、局部洗浄流路２０に接続した分岐部ボディ２１Ｂに止水栓２３、逆止弁２９を設けている。この止水栓２３は、局部洗浄機構に故障が生じ通水不可能な場合においても、便器洗浄水タンクに給水できるように局部洗浄機構側への給水を止水するものであり、止水栓ふた２２、スピンドル２３ａ、弁ゴム２４および止水栓シート部２６で構成されている。
【０００７】
この装置では、止水栓２３のスピンドル２３ａを止水栓ふた２２に螺合させてスピンドル２３ａをマイナスドライバーなどの工具で回転させることにより、スピンドル２３ａに嵌め込まれた弁ゴム２４を弁座に押し当てて、局部洗浄流路２０を閉じることができる。止水栓２３が開の状態の時、水は開口１８を経由し、局部洗浄流路２０へ導かれる。なお、止水栓ふた２２はＯリング２５によって分岐ボディ２１Ｂの内壁と、スピンドル２３ａはＯリング３４によって止水栓ふた２２の内壁とそれぞれシールされる。また、局部洗浄流路２０内には、弁体２９ａ、弁ゴム２８、スプリング３０、弁キャップ３６で構成された逆止弁２９が内蔵されており、断水時などにおける局部洗浄流路２０の逆流を防止している。
【０００８】
このような構造であるために、水抜き実施時において分岐部ボディ２１B内、すなわち局部洗浄流路２０内の水は下流側に空気を吸い込める開口がない為、ほとんど抜けることが無く、この残水が凍結時に膨脹しても破損の無いように止水栓の材料や強度設計を行う必要が生じるなど、少なからず設計上の制約が発生し、結果として製造コストの高騰を招いていた。
【０００９】
さらには、タンク側流路および局部洗浄流路のストレーナと水抜き栓を兼用とした場合は図４（ａ）のようにストレーナを長くして、前記タンク側流路開口部と前記局部洗浄流路開口部にまたがらせ、ストレーナの内側面でゴミを補足するか、あるいは図４（ｂ）のようにストレーナの外側面でゴミを補足した後の流路に分岐部を設置しなくてはならない。いずれにせよ、給水流路の長さが長くなることは避けられず、給水流路および分岐部の小型化の妨げとなっていた。
【００１０】
そこで本発明は、水抜け性が良い衛生洗浄装置用の止水栓を備えつつ、コンパクトな給水流路構成を可能とした流路構造を提供することを目的とする。
【課題を解決するための手段】
【００１１】
前記目的に沿う本発明に係わる衛生洗浄装置は、便器洗浄水タンクと、局部洗浄用ノズルと、給水源に連通する給水流路と、前記給水流路の水を前記便器洗浄水タンクに供給するタンク側流路と、前記給水流路の水を前記局部洗浄用ノズルに供給する局部洗浄流路と、前記給水流路を前記タンク側流路及び局部洗浄流路に分離させる分岐部とを備えた衛生洗浄装置において、前記分岐部の上流側且つ下方に前記タンク側流路及び局部洗浄流路の水抜きが可能な水抜き栓を設け、前記分岐部には前記給水流路に連通する給水流路開口部と前記タンク側流路に連通するタンク側流路開口部と前記局部洗浄流路に連通する局部洗浄流路開口部を設け且つ当該局部洗浄流路開口部を開閉する止水栓を設けたことを特徴とする。
【００１２】
これにより、前もって便器洗浄水タンク内の水を抜いて便器洗浄水タンク内のボールタップを開状態とした後、前記水抜き栓を操作することにより、前記止水栓内の水を抜くことができ、寒冷時などの流路の凍結破損防止に効果的である。また、給水流路を短く設計することができるので、コンパクトに構成できる。
【００１３】
本発明における衛生洗浄装置において、前記止水栓の流路開閉機構の周囲を、前記給水流路と前記タンク側流路を連通させる連絡流路として構成しても良い。この場合、水が流れないスペースがほぼ皆無となり、非常にコンパクトな構成が実現できる。
【００１４】
本発明における衛生洗浄装置において、前記分岐部の局部洗浄流路側に逆止弁を設け、前記逆止弁の弁体を収納するボディに前記止水栓の流路開閉機構のシート部を設けても良い。この場合、部品点数を低減し製造コストを抑制すると共に、逆止弁を収納するボディについて小型化が図れる。
【発明の効果】
【００１５】
以上により、本発明による衛生洗浄装置は、水抜け性が良い衛生洗浄装置用の止水栓を備えつつ、コンパクトな給水流路構成を可能とする。
【発明を実施するための最良の形態】
【００１６】
続いて、添付した図面を参照しつつ、本発明を具体化した実施の形態につき説明し、本発明の理解に供する。ここに、図１は本発明の実施の形態に係る衛生洗浄装置の斜視図、図２は本発明の実施の形態に係る便器洗浄水タンク内ボールタップの断面図、図３は本発明の実施の形態に係る給水流路及び分岐部の断面図である。
【００１７】
図１に示すように、衛生洗浄装置１および便器洗浄水タンク７は、洋風便器２の上面に設置される。水道管などから送られる水は止水栓６を通り、衛生洗浄装置１および便器洗浄水タンク７を一体的に収納する本体ケース４の最下部に位置する給水金具３に供給され、本体ケース４内で一方は局部洗浄流路２０、もう一方はタンク側流路１９へと分岐する。
【００１８】
局部洗浄流路２０は最終的にノズル５につながっており、人体局部を洗浄する。またタンク側流路１９は便器洗浄水タンク７に便器の洗浄水を供給する。
【００１９】
図２はタンク側流路１９を開閉し、便器洗浄水タンク７への水の供給を制御するボールタップ部を示す。ボールタップ部は便器洗浄水タンク内の貯水量によってフロート４１に発生する浮力をアーム４２によって伝達し、止水部４３を開閉させる。止水部６の開時は吐水口４４から吐水され、便器洗浄水タンク７に水が供給される。
【００２０】
図３に示すように、タンク側流路１９と局部洗浄流路２０とを分岐させる分岐ボディ（分岐栓本体）２１は、その下流側の流路を構成する水抜き栓８を備えた給水流路１１の上端部の流路末端に接続されている。
【００２１】
給水金具３から供給された水は、給水ボディ１４と水抜き栓８及び前記給水金具３で構成される給水流路１１に導かれる。給水金具３及び水抜き栓８はそれぞれＯリング１０，１３にて給水ボディ１４との間がシールされる。またＯリング１５は水抜き栓８に組み込まれたストレーナ１２を経由せずに水が流れることを防止する。ストレーナ１２でろ過された水は、給水流路開口部１６を通り、分岐ボディ（分岐栓本体）２１に流れる。
【００２２】
分岐ボディ（分岐栓本体）２１は、分岐ボディ２１内に止水栓の流路開閉機構を構成する止水栓ふた２２、スピンドル２３ａ、弁ゴム２４および止水栓シート部２６を組み込むことにより構成され、内部に分岐部３３を有している。ここでスピンドル２３ａと止水栓ふた２２は双方にネジ部を設けて結合されることにより、スピンドル２３ａは止水栓シート部２６に対して進退可能に設置されており、止水栓２３の操作はスピンドル２３ａをマイナスドライバーなどの工具で回転させることにより行ない、スピンドル２３ａにはめ込まれた弁ゴム２４を止水栓シート部２６に押し当てて、局部洗浄流路２０を開閉することができる。止水栓２３が開の状態の時、水は局部洗浄流路開口部１８を経由し、局部洗浄流路２０へ導かれる。止水栓ふた２２はＯリング２５によって、分岐ボディ２１の内壁と、スピンドル２３ａはＯリング３４によって止水栓ふた２２の内壁とそれぞれシールされる。なお、止水栓シート部２６は止水栓ふた２２にフックなどを設けて仮固定した後、スピンドル２３ａなどの部材と一体的に分岐ボディ２１に取付けられ、止水栓ふた２２を給水ボディ１４にネジ止めし、固定される。なお、分岐ボディ２１は、Ｏリング３２を介して給水ボディ１４にネジ止めによって固定される。
【００２３】
また、局部洗浄流路２０内には、逆止弁２９が内蔵される。逆止弁２９は、止水栓シート２６を逆止弁のボディとして共用しながら、弁体２９ａ、弁ゴム２８、スプリング３０、弁キャップ３６とで構成され、断水時などの局部洗浄流路２０の逆流を防止する。ここで弁体２９ａはスプリング３０をはさんだ状態で、スナップフィットにより一度弁キャップ３６に組みつけられ、さらにこれを逆止弁２９のボディである止水栓シート２６と弁キャップ３６間に設けられたスナップフィットにより一体化される。また、前述のようにこの逆止弁２９は止水栓ふた２２に組み込まれることにより、止水栓部材と一体的に分岐ボディ２１に組みつけられる。また、Ｏリング２７は逆止弁の周囲と分岐ボディ２１の隙間からの逆流を防止する。
【００２４】
この構成を採用することにより、止水栓シート部２６を逆止弁２９のシート部の部材として使用することにより、部品点数を軽減するとともに小型化を達成している。
【００２５】
一方、分岐ボディ２１にはタンク側流路開口部１７が形成され、流路開閉機構の周囲は、給水流路１１とタンク側流路１９を連通させる連絡流路として構成されている。タンク側流路１９からはボールタップ部に水が供給される。なお、ボールタップ部は便器洗浄水タンク７の上方に設置されており、上述した流路の構成で最上部に位置している。
【００２６】
以上の構成を踏まえて、本実施の形態における衛生洗浄装置の水抜き作業時における水抜け性について説明する。
【００２７】
水抜き作業者はまず水道栓６を閉めて、給水源からの水の供給を遮断する。次に便器洗浄レバー（図示しない）を操作して、便器洗浄水タンク７内の水を排水するとボールタップ部の止水部４３が開状態のまま維持される。この状態において水抜き栓８を外すとボールタップ部の止水部４３が開状態であるから、ボールタップ部の吐水口４４から空気を吸い込み、残水と置換することが可能であるため、タンク側流路１９、分岐部３３、給水流路１１を経て、水抜き栓８を外してできた水抜き開口部から水を抜くことができる。この場合、分岐部３３内に局部洗浄流路２０を開閉する止水栓２３を設け、さらに給水流路１１とタンク側流路１９と連通する連絡流路が局部洗浄流路開口部１８の直近を通過するように構成しているため、分岐部３３内に構成する止水栓２３の流路開閉機構の周囲にほとんど水が残ることがない。よって、局部洗浄流路２０内に残る水の量を圧倒的に減らすことができるので、凍結破損防止に効果的である。
【００２８】
また、図４（ａ）、（ｂ）に示す従来構造では、給水流路１１内に分岐部を設けていた為、ストレーナ１２及び水抜き栓８との取り合い上、給水流路１１が長くなるという設計制約が発生していたが、本発明による構成においては給水流路１１の長さを短縮することが出来る為、図１のような便器洗浄水タンク７と衛生洗浄装置１の本体ケースを一体とした構成を採用し、本体ケースを小型化する際に非常に効果的である。
【図面の簡単な説明】
【００２９】
【図１】本発明の衛生洗浄装置の斜視図である。
【図２】本発明の便器洗浄水タンク内のボールタップの断面図
【図３】本発明の給水流路及び分岐部の断面図で止水栓を閉止した状態の図
【図４】本発明の給水流路及び分岐部の断面図で止水栓を開放した状態の図
【図５】従来の給水流路及び分岐部の断面図であり、（ａ）は局部洗浄流路に止水栓を設けた従来の給水流路及び分岐部（ｂ）ストレーナの外側で濾過する場合の従来の給水流路及び分岐部
【符号の説明】
【００３０】
１：衛生洗浄装置
２：便器
３：給水金具
４：本体ケース
５：ノズル
６：止水栓
７：便器洗浄水タンク
８：水抜き栓
１０：Ｏリング
１１：給水流路
１２：ストレーナ
１３：Ｏリング
１４：給水ボディ
１５：Ｏリング
１６：給水流路開口部
１７：タンク側流路開口部
１８：局部洗浄流路開口部
１９：タンク側流路
２０：局部洗浄流路
２１：分岐ボディ（分岐栓本体）
２２：止水栓ふた
２３：止水栓
２３ａ：スピンドル
２４：弁ゴム
２５：Ｏリング
２６：止水栓シート部
２７：Ｏリング
２８：弁ゴム
２９：逆止弁
２９ａ：弁体
３０：スプリング
３２：Ｏリング
３３：分岐部
３４：Ｏリング
３５：入水部
３６：弁キャップ
４１：フロート
４２：アーム
４３：止水部
４４：吐水口
【図１】
2006257703.tif 000003
【図２】
2006257703.tif 000004
【図３】
2006257703.tif 000005
【図４】
2006257703.tif 000006
【図５】
2006257703.tif 000007